(57)【要約】      （修正有）【課題】キャンセラブルバイオメトリクスの認証の精度を向上させるシステムを提供する。【解決手段】登録者の生体の部位に磁性体が付与された状態で、測定された磁力と登録者とを対応付けて記憶する記憶手段Ｃ１１と、対象者の磁性体を含む部位の磁力を測定する測定手段Ｃ２２と、測定手段Ｃ２２で測定された磁力と、記憶手段Ｃ１１に記憶された登録者の磁力とに基づいて、対象者が登録者に一致するか否かを認証する認証手段Ｃ１２と、を備えた。【選択図】図５
2015219729.tif 000002
【特許請求の範囲】
【請求項１】
登録者の生体の部位に磁性体が付与された状態で、測定された磁力と前記登録者とを対応付けて記憶する記憶手段と、
対象者の磁性体を含む部位の磁力を測定する測定手段と、
前記測定手段で測定された磁力と、前記記憶手段に記憶された前記登録者の磁力とに基づいて、前記対象者が前記登録者に一致するか否かを認証する認証手段と、
を備えたことを特徴とする認証システム。
【請求項２】
前記登録者の生体の部位として指の爪に付与された前記磁性体、
を備えたことを特徴とする請求項１に記載の認証システム。
【請求項３】
前記磁性体が不規則に分散された膜状の貼付け材が貼り付けられることで、前記登録者の生体の部位に磁性体を付与することを特徴とする請求項１または２に記載の認証システム。
【発明の詳細な説明】
【技術分野】
【０００１】
本発明は、認証システムに関する。
【背景技術】
【０００２】
利用者が利用者本人であることを認証するための認証情報として、利用者本人が設定した暗証番号や、認証情報が記憶されたＩＤカード等を用いた認証技術が広く採用されている。しかし、これらの認証技術では、暗証番号が漏洩したり、利用者が忘れたり、ＩＤカードが紛失や偽造されると、他人でも認証できてしまう問題があった。
この問題に対応する技術として、本人固有の指紋や静脈パターン、網膜等の生体情報を認証情報として用いた認証技術が知られている。
【０００３】
生体情報を用いた認証技術では、暗証番号等を用いた認証技術に比べて、用いられる認証情報が、直接的に盗用や偽造され難く、利用者本人以外は認証され難いという利点がある。しかし、生体情報は利用者の生体に由来する固有情報であるため、変更が困難である。よって、生体情報が漏洩してしまうと、再登録しようとしても、漏洩した生体情報の再登録となってしまう。したがって、その利用者の生体情報を認証情報として二度と利用することができないという問題がある。
【０００４】
また、生体情報は利用者個人を識別することができる個人情報であり、個人情報保護の観点から、認証システムの運営者は、システムに登録された個人情報を厳重に管理しなければならず、システムの管理負担が運営者に強いられてしまうという問題もある。
そこで、現在では、利用者の生体情報を直接登録せずに、利用者の生体情報を加工する等の処理をして作成されたキャンセラブルな（変更可能な）認証情報を利用した認証技術、いわゆる、キャンセラブルバイオメトリクスの研究が行われている。キャンセラブルな認証情報を用いた認証技術として、例えば、特許文献１に記載の技術が公知である。
【０００５】
特許文献１（特開２０１２−１４６１２１号公報）には、２点の描点（１４ｒ，１４ｂ）が印刷されたシール（１２）を利用者の指の爪に貼付した上で、指を撮像して、生体情報としての指の輪郭線と、描点（１４ｒ，１４ｂ）の位置情報とに基づいて、作成したキャンセラブルな認証情報を用いる認証技術が記載されている。特許文献１の技術では、撮像した描点（１４ｒ，１４ｂ）の中間点である基準点（Ｄ）と、指の輪郭線を構成する各画素（Ｏ′）との距離を認証情報として設定されている。
【０００６】
特許文献１に記載されているように、指の輪郭線は生体情報であり、各個人毎に異なっている。したがって、特許文献１の認証情報は、生体情報に基づいて利用者毎に異なっており、利用者本人を認証させることが可能である。
また、シール（１２）を一度剥がしてしまうと、剥がす前と完全に同じ位置に、シール（１２）を貼付直すことは現実的には不可能である。したがって、シール（１２）を剥がす前と貼付直した後では、基準点（Ｄ）と各画素（Ｏ′）との距離が異なる。したがって、認証情報が漏洩してしまっても、シール（１２）を貼り直して再登録することで、生体に基づいて、新しく認証情報を再登録することが可能である。
【０００７】
【特許文献１】特開２０１２−１４６１２１号公報（「００１１」、「００１２」、「００１７」、「００２１」、「００２３」、「００２６」、「００２７」、図１〜図８）
【発明の開示】
【発明が解決しようとする課題】
【０００８】
（従来技術の問題点）
前記特許文献１記載の生体認証方法では、従来技術１の認証システムの構成では、高画質デジタルカメラ（１１）で撮像された画像に基づいて、描点（１４ｒ，１４ｂ）の位置情報や指の輪郭線が算出されている。
光学式のカメラで撮像される構成では、認証情報を登録する状況と、実際に認証を行う状況において、照明や太陽光等の外乱の違いによって、撮像される画像の精度に違いが生じてしまう場合がある。
【０００９】
ここで、従来技術１の認証システムが、商業施設の一例としての遊園地に導入された場合に、入場券売場等の屋内に設けられた登録装置で認証情報を登録する状況と、各アトラクションの優先入場券を発行する屋外の発券機に設けられた認証装置で、認証が行われる状況では、登録装置と認証装置とで照明の個体差や寿命で光量に違いがあったり、屋外の方が、天候や昼夜での太陽光の影響も受け易い。他にも、宿泊施設で鍵の代替として使用する場合でも、宿泊施設の受付の登録装置と、各部屋の扉に設けられた認証装置との間で、照明の個体差や、窓の有無、天候等の影響を受けることも考えられる。
よって、認証情報を登録する段階と、認証する段階において、画像精度が異なり、認証の精度が低下する恐れがあった。よって、利用者本人が認証されなかったり、誤って他人が認証されてしまったりする恐れがあった。
【００１０】
本発明は、キャンセラブルバイオメトリクスの認証の精度を向上させることを技術的課題とする。
【課題を解決するための手段】
【００１１】
前記技術的課題を解決するために、請求項１に記載の発明の認証システムは、
登録者の生体の部位に磁性体が付与された状態で、測定された磁力と前記登録者とを対応付けて記憶する記憶手段と、
対象者の磁性体を含む部位の磁力を測定する測定手段と、
前記測定手段で測定された磁力と、前記記憶手段に記憶された前記登録者の磁力とに基づいて、前記対象者が前記登録者に一致するか否かを認証する認証手段と、
を備えたことを特徴とする。
【００１２】
請求項２に記載の発明は、請求項１に記載の認証システムにおいて、
前記登録者の生体の部位として指の爪に付与された前記磁性体、
を備えたことを特徴とする。
【００１３】
請求項３に記載の発明は、請求項１または２に記載の認証システムにおいて、
前記磁性体が不規則に分散された膜状の貼付け材が貼り付けられることで、前記登録者の生体の部位に磁性体を付与することを特徴とする。
【発明の効果】
【００１４】
請求項１に記載の発明によれば、本発明の構成を有しない場合に比べて、キャンセラブルバイオメトリクスの認証の精度を向上させることができる。
請求項２に記載の発明によれば、爪を利用しない場合に比べて、簡易に認証を行うことができる。
請求項３に記載の発明によれば、貼り付け材を剥がすことで、容易に認証情報のキャンセルが可能である。
【図面の簡単な説明】
【００１５】
【図１】図１は実施例１の認証システムの全体説明図である。
【図２】図２は実施例１の登録装置本体の説明図であり、図２Ａは要部断面図、図２Ｂは右から見た図である。
【図３】図３は実施例１の測定領域の説明図である。
【図４】図４は実施例１の貼付材の説明図であり、図４Ａは利用者の指に貼付けられた貼付材の説明図、図４Ｂは貼付材の拡大説明図である。
【図５】図５は実施例１の認証システムＵの機能をブロック図（機能ブロック図）で示した説明図である。
【図６】図６は実施例１の登録画像の説明図である。
【図７】図７は実施例１の作用説明図であり、図７Ａは認証者の指の平面図、図７Ｂは図７Ａの矢印ＶＩＩＢ方向から見た図、図７Ｃは図７Ａとは別人の指の平面図、図７Ｄは図７Ｃの矢印ＶＩＩＤ方向から見た図、図７Ｅは図７Ａの状態からシールを一度剥がしたあとに貼り直した状態の説明図である。
【発明を実施するための最良の形態】
【００１６】
次に図面を参照しながら、本発明の実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１７】
（実施例１の認証システムＵの説明）
図１は実施例１の認証システムの全体説明図である。
図１において、本願発明の実施例１の認証システムＵは、例えば、利用者が宿泊するホテル等の宿泊施設の管理システムに設けられている。図１において、実施例１の認証システムＵは、演算記憶手段の一例としてのサーバＵ１を有している。実施例１のサーバＵ１は、いわゆる、コンピュータ装置により構成されており、計算装置本体の一例としてのコンピュータ本体Ｈ１と、表示器の一例としてのディスプレイＨ２と、情報入力装置の一例としてのキーボードＨ３やマウスＨ４等とを有し、コンピュータ本体Ｈ１には、ＯＳ（ＯＳ：Operating System）やプログラム等を記憶する図示しない記憶媒体の一例としてのＨＤＤ（ＨＤＤ：Hard Disk Drive）等が内蔵されている。
【００１８】
また、実施例１の認証システムＵは、演算記憶手段の一例としての登録装置Ｕ２を有している。なお、実施例１の登録装置Ｕ２は、いわゆる、コンピュータ装置により構成されている。よって、コンピュータ本体Ｈ１と、ディスプレイＨ２と、キーボードＨ３およびマウスＨ４を有する。実施例１の登録装置Ｕ２は、ホテルのフロントのカウンターＫａ上に配置されている。登録装置Ｕ２は、接続線の一例としてのケーブルＫによりサーバＵ１と接続されている。なお、実施例１では、ケーブルＫは、一例として、ＬＡＮケーブル（ＬＡＮ：Local Area Network）によって構成されているが、ＬＡＮケーブルに限定されず、設計等に応じて、任意の形式のケーブルを使用可能である。また、有線方式に限定されず、無線方式で情報の送受信が可能な構成とすることも可能である。
【００１９】
図２は実施例１の登録装置本体の説明図であり、図２Ａは要部断面図、図２Ｂは右から見た図である。
登録装置Ｕ２は、登録装置本体１を有している。登録装置本体１は、登録装置Ｕ２に対して、ケーブル１ａを介して電気的に接続されている。実施例１の登録装置本体１は前後方向に延びる角筒状に形成されている。
図２において、登録装置本体１の内部には、前後方向に延びる検知空間２が形成されている。検知空間２の後端には、入口２ａが形成されている。実施例１の検知空間２は、人の指が挿入可能に構成されており、検知空間２の内部は、前方、すなわち、検知空間２の奥に行くに連れて、上下方向の幅および左右方向の幅が狭くなるように形成されている。
【００２０】
検知空間２の前端には、前壁３が配置されている。前壁３には、検知部材の一例としての検知センサ４が設けられている。なお、実施例１の検知センサ４は、接触を検知する接触検知センサが採用されており、このような、接触検知センサは、市販の感圧式等のセンサ等、従来公知の任意の構成を採用可能であるため、詳細な説明を省略する。
【００２１】
図３は実施例１の測定領域の説明図である。
また、検知空間２の前端部には、図３に示すように、前壁３の後方の位置に、予め設定された面積を有する測定領域６が設けられており、測定領域６は、予め設定された複数の領域に区切られている。
【００２２】
実施例１では、一例として、測定領域６は、図３に示すように、前端が前壁３に沿って延びる正四角形状に設定されている。また、実施例１では、一例として、測定領域６は、前壁３の左端を基準として、前後方向および左右方向にそれぞれ６分割されている。よって、実施例１では、測定領域６は、前後方向の長さと左右方向の長さとが同一、且つ、同一面積の３６個の分割領域Ａ１〜Ａ３６に区切られている。
【００２３】
登録装置本体１には、領域Ａ１〜Ａ３６に対応する位置に、磁力測定装置ＳＮが配置されている。実施例１の磁力測定装置ＳＮは、磁力測定部材の一例としての磁力センサＳＮ１〜ＳＮ３６を有している。実施例１の磁力センサＳＮ１〜ＳＮ３６は、各領域Ａ１〜Ａ３６に対応して３６個配置されている。各磁力センサＳＮ１〜ＳＮ３６は、下側に配置された磁界発生部材１１と、上側に配置された受信部材１２とを有しており、磁界発生部材１１と受信部材１２とは、領域Ａ１〜Ａ３６を挟んで対向して配置されている。
実施例１では、磁界発生部材１１は、磁界を発生させる磁界発生コイルにより構成されている。また、受信部材１２は、各磁界発生部材１１に対向する受信コイルにより構成されている。
【００２４】
実施例１の構成では、測定領域６の磁力を測定する場合、各領域Ａ１〜Ａ３６に対応する各磁界発生部材１１に交流電流を流し、交番磁界を発生させる。
測定領域６に磁性体が配置されていない場合、各磁界発生部材１１で発生した交番磁界の磁力が各受信部材１２で検知される。
また、磁界発生部材１１と受信部材１２との間に、磁性体が配置されていると、磁性体が配置されていない場合に比べて、受信部材１２で検知される磁力が変化する。特に、磁性体と受信部材１２との距離によっても、検知される磁力が変化する。
【００２５】
なお、実施例１の各磁力センサＳＮ１〜ＳＮ３６では、受信部材１２を鎖交する交番磁界の磁束密度に応じて、受信部材１２に電磁誘導される交流の誘電電流が検出されており、検出された誘電電流に基づいて、領域Ａ１〜Ａ３６毎に磁力が測定される。
よって、実施例１では、領域Ａ１〜Ａ３６での３６個の測定結果の値の組み合わせ、いわば、測定領域６における磁気のパターン（磁気の分布模様）が測定される。
【００２６】
図１において、認証システムＵは、開閉部材の一例としてのドア２１を有している。実施例１のドア２１は、一例として、ホテルの客室２２の前側に配置されている。実施例１のドア２１は、客室２２の入り口を塞ぐ閉塞位置と、客室の入り口を開放する開放位置との間を移動可能に構成されている。ドア２１の左端部には、把持部の一例としてのドアノブ２３が設けられている。
また、認証システムＵは、認証装置Ｕ３を有している。実施例１の認証装置Ｕ３は、図１に示すように、前記ドア２１に対して、左側に配置された壁２４に設置されている。認証装置Ｕ３は、接続線の一例としてのケーブルＫ′を介してサーバＵ１に電気的に接続されている。
【００２７】
なお、実施例１では、ケーブルＫ′は、一例として、ＬＡＮケーブルによって構成されているが、ＬＡＮケーブルに限定されず、設計等に応じて、任意の形式のケーブルを使用可能である。また、有線方式に限定されず、無線方式で情報の送受信が可能な構成とすることも可能である。また、実施例１の認証装置Ｕ３は、鍵部の一例として、図示しないドアの鍵部と接続されている。認証装置Ｕ３は、点灯部の一例としての情報ランプ２６を有している。実施例１の情報ランプ２６は、青色の点灯部の一例としての青ランプ２６ａと、赤色の点灯部の一例としての赤ランプ２６ｂとを有している。各ランプ２６ａ，２６ｂは、認証装置Ｕ３に送信された情報に応じて点灯可能に構成されている。
なお、実施例１の認証装置Ｕ３は、前記登録装置Ｕ２に比べて、情報ランプ２６を有する点が異なるだけで、前記登録装置Ｕ２の構成と同様に、前記符号２〜１２を付した部材等で構成されている。
【００２８】
図４は実施例１の貼付材の説明図であり、図４Ａは利用者の指に貼付けられた貼付材の説明図、図４Ｂは貼付材の拡大説明図である。
また、前記認証システムＵは、貼付材の一例として、図４Ａに示すように、前記利用者に貼付されたシール３１を有する。実施例１のシール３１は、利用者の左手に対して人差し指の爪に貼付可能な大きさで、正方形状に形成されている。
図４Ｂにおいて、実施例１のシール３１は、基層３２を有する。基層３２の表面には、磁性体３３が保持されている。実施例１の磁性体３３は、前記磁力測定装置ＳＮにより検出可能な鉄粉の粒子で構成されており、基層３２の表面に不規則に分散されている。なお、磁性体３３は、基層３２の表面に接着剤により保持されている。
【００２９】
基層３２の表面には、磁性体３３を保持する接着剤を介して、表面層の一例としての保護層３４が支持されている。すなわち、磁性体３３は、基層３２と保護層３４との間で挟まれた状態で保持されている。
基層３２の下面には、接着剤により構成された接着層３６が設けられている。接着層３６は、利用者の生体の部位の一例としての爪３７にシール３１を貼り付けたり、剥がしたりすることが可能な接着剤により構成されている。なお、実施例１では、利用者の利便性のために、ドアノブを操作する右手に対して、左手の人差し指に貼付することが好適である。
【００３０】
（実施例１の登録装置Ｕ２の制御部の説明）
図５は実施例１の認証システムＵの機能をブロック図（機能ブロック図）で示した説明図である。
図５において、登録装置Ｕ２のコンピュータ本体Ｈ１は、外部との信号の入出力および入出力信号レベルの調節等を行うＩ／Ｏ（入出力インターフェース）、必要な起動処理を行うためのプログラムおよびデータ等が記憶されたＲＯＭ（リードオンリーメモリ）、必要なデータ及びプログラムを一時的に記憶するためのＲＡＭ（ランダムアクセスメモリ）、ＲＯＭ等に記憶された起動プログラムに応じた処理を行うＣＰＵ（中央演算処理装置）ならびにクロック発振器等を有しており、前記ＲＯＭ及びＲＡＭ等に記憶されたプログラムを実行することにより種々の機能を実現することができる。
前記コンピュータ本体Ｈ１には、基本動作を制御する基本ソフト、いわゆる、オペレーティングシステムＯＳ、アプリケーションプログラムとしての認証プログラムＡＰ１、その他の図示しないソフトウェアが記憶されている。
【００３１】
（実施例１の登録装置Ｕ２のコンピュータ本体Ｈ１に接続された信号入力要素）
登録装置Ｕ２のコンピュータ本体Ｈ１は、登録装置本体１の検知センサ４、磁力測定装置ＳＮ等の信号出力要素からの出力信号が入力されている。
４：検知センサ
検知センサ４は、検知空間２に前記利用者の指が挿入され、挿入された利用者の指先が前壁３に接触する磁力の測定位置に、利用者の指が到達したか否かを検出する。
ＳＮ：磁力測定装置
磁力測定装置ＳＮは、測定領域６に利用者の指が挿入された際に、測定領域６の磁力を測定する。
【００３２】
（登録装置Ｕ２のコンピュータ装置Ｈ１の機能）
実施例１の登録装置Ｕ２のコンピュータ装置Ｈ１は、下記の機能手段（プログラムモジュール）を有する。
Ｃ１：登録手段
登録手段Ｃ１は、登録画像の表示手段Ｃ１Ａと、測定開始の判別手段Ｃ１Ｂと、第１の磁力測定手段Ｃ１Ｃとを有し、登録者を認証する認証情報を登録する。実施例１の登録手段Ｃ１では、利用者の指に貼り付けられた認証用のシールからの磁力と、利用者が利用する部屋番号とが対応付けられた認証情報ＤＴを登録する。
【００３３】
図６は実施例１の登録画像の説明図である。
Ｃ１Ａ：登録画像の表示手段
登録画像の表示手段Ｃ１Ａは、前記認証システムＵの登録を行うための登録画像１０１をディスプレイＨ２に表示する。図６において、実施例１の前記登録画像１０１は、利用者の一例としての宿泊客の登録をするための登録ボタン１０１ａと、宿泊者が利用する部屋番号を入力するための部屋番号入力欄１０１ｂと、宿泊者の指に貼り付けられた認証用のシール３１の磁気の測定結果を表示する磁気表示欄１０１ｃとを有する。なお、部屋番号入力欄１０１ｂは、フロントの受付の者がキーボードＨ３やマウスＨ４を操作して入力可能である。
【００３４】
Ｃ１Ｂ：測定開始の判別手段
測定開始の判別手段Ｃ１Ｂは、登録装置Ｕ２の検知センサ４からの信号に基づいて、磁力測定を開始するか否かを判別する。実施例１の測定開始の判別手段Ｃ１Ｂは、登録装置Ｕ２の検知センサ４からの信号に基づいて、利用者の指先が前壁３に接触した場合に、シール３１の磁力を測定する時期になったと判別する。
【００３５】
Ｃ１Ｃ：第１の磁力測定手段
第１の磁力測定手段Ｃ１Ｃは、測定開始の判別手段Ｃ１Ｂが磁力を測定する時期になったと判別した場合に、登録装置Ｕ２の磁力測定装置ＳＮにより測定領域６の磁力を測定する。実施例１の第１の磁力測定手段Ｃ１Ｃは、測定領域６を３６分割した領域Ａ１〜Ａ３６毎に前記磁力センサＳＮ１〜ＳＮ３６で磁力を測定し、測定された測定値に基づいて、利用者の磁力Ｄ１〜Ｄ３６を取得する。なお、第１の磁力測定手段Ｃ１Ｃで測定された磁力Ｄ１〜Ｄ３６は、登録画像１０１の磁気表示欄１０１ｃに表示される。
【００３６】
Ｃ２：認証情報の登録手段
認証情報の登録手段Ｃ２は、登録画像１０１で登録ボタン１０１ａの入力がされた場合に、部屋番号入力欄１０１ｂに入力された部屋番号と、シール３１の磁力Ｄ１〜Ｄ３６とを対応付けた認証情報ＤＴを、サーバＵ１に送信して認証情報の登録を行う。
【００３７】
（実施例１のサーバＵ１の制御部の説明）
図５において、実施例１のサーバＵ１のコンピュータ本体Ｈ１は、登録装置Ｕ２のコンピュータ本体Ｈ１と同様に、外部との信号の入出力および入出力信号レベルの調節等を行うＩ／Ｏ（入出力インターフェース）、必要な起動処理を行うためのプログラムおよびデータ等が記憶されたＲＯＭ（リードオンリーメモリ）、必要なデータ及びプログラムを一時的に記憶するためのＲＡＭ（ランダムアクセスメモリ）、ＲＯＭ等に記憶された起動プログラムに応じた処理を行うＣＰＵ（中央演算処理装置）ならびにクロック発振器等を有しており、前記ＲＯＭ及びＲＡＭ等に記憶されたプログラムを実行することにより種々の機能を実現することができる。
前記コンピュータ本体Ｈ１には、基本動作を制御する基本ソフト、いわゆる、オペレーティングシステムＯＳ、アプリケーションプログラムとしての認証プログラムＡＰ１、その他の図示しないソフトウェアが記憶されている。
【００３８】
（サーバＵ１のコンピュータ装置Ｈ１の機能）
実施例１の登録装置Ｕ２のコンピュータ装置Ｈ１は、下記の機能手段（プログラムモジュール）を有する。
Ｃ１１：認証情報の記憶手段
認証情報の記憶手段Ｃ１１は、測定された磁力Ｄ１〜Ｄ３６と利用者とを対応付けて記憶する。登録装置Ｕ２の認証情報の登録手段Ｃ２から送信された認証情報ＤＴを記憶する。よって、実施例１の認証情報の記憶手段Ｃ１１は、測定された磁力Ｄ１〜Ｄ３６と利用者とが直接対応付けられているのではなく、利用者に割り当てられた部屋番号を介して、間接的に利用者と磁力Ｄ１〜Ｄ３６とが対応付けられて記憶されている。なお、実施例１の認証情報の記憶手段Ｃ１１では、認証情報の登録手段Ｃ２から送信された認証情報ＤＴにおいて、同一の部屋番号について、登録済みの磁力Ｄ１〜Ｄ３６が存在する場合には、登録済みの磁力Ｄ１〜Ｄ３６を削除して、新たに認証情報の登録手段Ｃ２から送信された磁力Ｄ１〜Ｄ３６に更新（上書き保存）する。
【００３９】
Ｃ１２：認証手段
認証手段Ｃ１２は、各部屋に設置された認証装置Ｕ３から送信された認証情報ＤＴの認証を行う。実施例１の認証手段Ｃ１２は、認証装置Ｕ３から送信された認証情報ＤＴが、認証情報の記憶手段Ｃ１１に記憶された認証情報ＤＴと一致するか否かを判別することで認証を行う。なお、認証手段Ｃ１２は、認証結果を、認証情報ＤＴを送信してきた認証装置Ｕ３に対して送信する。
【００４０】
（実施例１の認証装置Ｕ３の制御部の説明）
図５において、実施例１の認証装置Ｕ３は、外部との信号の入出力および入出力信号レベルの調節等を行うＩ／Ｏ（入出力インターフェース）、必要な起動処理を行うためのプログラムおよびデータ等が記憶されたＲＯＭ（リードオンリーメモリ）、必要なデータ及びプログラムを一時的に記憶するためのＲＡＭ（ランダムアクセスメモリ）、ＲＯＭ等に記憶された起動プログラムに応じた処理を行うＣＰＵ（中央演算処理装置）ならびにクロック発振器等を有するマイクロコンピュータが内蔵されており、前記ＲＯＭ及びＲＡＭ等に記憶されたプログラムを実行することにより種々の機能を実現することができる。
【００４１】
Ｃ２１：認証開始の判別手段
認証開始の判別手段Ｃ２１は、認証装置Ｕ３の検知センサ４からの信号に基づいて、磁力測定を開始する時期になったか否かを判別する。実施例１の認証開始の判別手段Ｃ２１は、認証装置Ｕ３の検知センサ４からの信号に基づいて、利用者の指先が前壁３に接触したと判別された場合に、対象者の認証を開始する時期になったと判別する。
【００４２】
Ｃ２２：第２の磁力測定手段
第２の磁力測定手段Ｃ２２は、認証が開始された場合に、認証装置Ｕ３の磁力測定装置ＳＮにより測定領域６の磁力を測定する。実施例１の第２の磁力測定手段Ｃ２２は、第１の磁力測定手段Ｃ１Ｃと同様に、認証開始の判別手段Ｃ２１が測定開始時期になったと判別した場合に、領域Ａ１〜Ａ３６毎に前記磁力センサＳＮ１〜ＳＮ３６で磁力Ｄ１〜Ｄ３６を測定する。
【００４３】
Ｃ２３：認証情報の問合せ手段
認証情報の問合せ手段Ｃ２３は、第２の磁力測定手段Ｃ２２で測定した磁力に基づいて、認証情報ＤＴをサーバＵ１に送信して、認証の問合わせを行う。実施例１の認証情報の問合せ手段Ｃ２３は、認証装置Ｕ３が設置されたドア２１に対応する部屋の部屋番号を予め記憶しており、部屋番号の情報と、第２の磁力測定手段Ｃ２２で測定した磁力Ｄ１〜Ｄ３６とを含む認証情報ＤＴをサーバＵ１に送信する。
【００４４】
Ｃ２４：認証結果の受信手段
認証結果の受信手段Ｃ２４は、サーバＵ１の認証手段Ｃ１２から送信された認証結果、すなわち、認証成功または認証失敗の情報を受信する。
Ｃ２５：認証結果の表示手段
認証結果の表示手段Ｃ２５は、認証の成功または認証の失敗を示す表示を行う。実施例１の認証結果の表示手段Ｃ２５は、認証結果の受信手段Ｃ２４が受信した情報に基づいて、認証が成功した場合は、青ランプ２６ａを点灯させ、認証が失敗した場合は、赤ランプ２６ｂを点灯させる。
【００４５】
Ｃ２６：鍵制御手段
開閉制御手段の一例としての鍵制御手段Ｃ２６は、ドア２１の鍵を制御してドア２１を施錠または解錠、いわゆる、ロックまたはアンロックする。実施例１の鍵制御手段Ｃ２６は、ドア２１が閉められた際に、ドア２１の鍵部をロック、いわゆるオートロックして、ドア２１の開放を規制する。また、認証結果の受信手段Ｃ２４により認証成功の情報が受信された場合には、鍵を制御してドア２１を解錠、いわゆる、アンロックする。
【００４６】
（実施例１の作用）
前記構成を備えた実施例１の認証システムＵでは、宿泊施設の利用者は、フロントで受付時に、爪３７に貼り付けたシール３１の磁気パターン（領域Ａ１〜Ａ３６の測定結果）と、部屋番号とを対応付けた認証情報ＤＴを登録する。そして、部屋の認証装置Ｕ３に指を挿入すると、シール３１の磁気パターンが読み取られて照合され、認証に成功すると、オートロックが解除される。
【００４７】
図７は実施例１の作用説明図であり、図７Ａは認証者の指の平面図、図７Ｂは図７Ａの矢印ＶＩＩＢ方向から見た図、図７Ｃは図７Ａとは別人の指の平面図、図７Ｄは図７Ｃの矢印ＶＩＩＤ方向から見た図、図７Ｅは図７Ａの状態からシールを一度剥がしたあとに貼り直した状態の説明図である。
ある利用者の指にシール３１が貼り付けられた状態で磁気の測定が行われる場合、図７Ａに示す平面上でシール３１上で磁性体の粉がランダムに分布しているとともに、図７Ｂに示すように、爪３７の上面の湾曲に応じて、受信部材１２までの距離が異なってくる。よって、各領域Ａ１〜Ａ３６での測定値からなる磁気パターンは、磁性体の分布のランダム性と個人の生体（爪３７の形状）とが相まって、登録された個人の特定が可能な程度の唯一性を実現することが可能である。
【００４８】
したがって、図７Ｃ、図７Ｄに示すように、別人の爪３７′に貼り付けられたシール３１′における磁性体の分布は、図７Ａ、図７Ｂの人のシール３１の磁性体の分布とは異なるとともに、爪３７の形状も互いに異なっており、各領域Ａ１〜Ａ３６で測定される磁気パターンに基づいて、認証が可能である。
また、図７Ｅに示すように、本人が自分の爪３７からシール３１を一度剥がした後、再び爪３７に貼り付けた場合、剥がす前の場所と完全に同一の位置にシール３１を貼り付けることは、現実問題としては不可能であるため、測定される磁気パターンが変化する。よって、一度剥がしてしまうと、たとえ本人であっても認証ができなくなる。よって、例えば、忘れ物を取りに行こうとして、チェックアウト時に一度剥がしたものを再度貼り付けて、部屋に進入しようとしても、認証ができず、ロックが解除されない。よって、利用者が再登録せずに、勝手に部屋に進入することを防止でき、セキュリティが向上する。
【００４９】
また、仮に、図７Ａ、図７Ｂの人のシール３１を剥がして、別人の爪３７′に貼り付けたとしても、前述のように、爪３７，３７′の形状が異なるとともに、完全に同じ位置に貼り付けることは現実的には不可能である。よって、例えば、本人が爪３７からシール３１を剥がして、友人の爪３７′に貼ったとしても、登録をしていない友人が自由に部屋に出入りすることはできず、セキュリティが向上している。
【００５０】
そして、実施例１の認証システムＵでは、人の爪３７，３７′に磁性体を含むシール３１を貼り付けた状態で測定した磁気パターンに基づいて認証を行っている。よって、指紋や静脈等のような一度漏洩すると変更ができない生体情報ではなく、シール３１を剥がして別のシール３１を貼り直せば、認証情報は容易に更新可能である。よって、従来の生体認証に比べて、認証情報の漏洩時の問題も少ない。
さらに、実施例１では磁気パターンを使用しており、撮像部材等を使用する特許文献１の場合に比べて、日照等の影響を受けにくい。よって、従来の技術に比べて、安定して認証を行いやすく、全体として、認証の精度を向上させることができる。
【００５１】
(変更例)
以上、本発明の実施例を詳述したが、本発明は、前記実施例に限定されるものではなく、特許請求の範囲に記載された本発明の要旨の範囲内で、種々の変更を行うことが可能である。
例えば、前記実施例において、認証システムＵを適用する一例として、宿泊施設のオートロック解除の場合を例示したが、これに限定されない。例えば、病院や介護施設等の部屋の鍵の制御等にも使用可能である。また、テーマパーク等の遊戯施設の入場や優先入場券の認証等にも使用可能である。すなわち、実施例では、個人が割り当てられた部屋番号を介して、間接的に個人と磁気パターンとが対応付けられていたが、テーマパーク等では個人と磁気パターンとを直接対応づけることも可能である。
【００５２】
前記実施例において、磁性体を含む貼付材を貼り付ける位置を、爪３７、３７′にする場合を例示したが、これに限定されない。爪以外の指の部分や手の甲、足の指等々、人によって形状が異なる任意の部位に変更可能である。その上で、宿泊施設やテーマパークのように、宿泊料や入場料を払っていない別の日に認証ができないように、爪のような時間の経過とともに伸びてシール３１の位置が自動的に変わっていって、別の日には自動的に認証ができなくなることが望ましい。
【００５３】
前記実施例において、磁性体を含む貼付け材として、シール３１を使用する構成を例示したがこれに限定されない。例えば、マニキュアのような爪３７，３７′に塗布する液体に磁性体を分散させておく構成としたり、磁性体を含むインクを使用する筆記具で文字や絵を爪３７，３７′に書いたりする等の変更も可能である。他にも、シール３１から磁性体の層だけを転写する構成とする等、磁性体を生体に付着させることが可能な任意の方法を採用可能である。
【００５４】
前記実施例において、磁性体をランダム（不規則）に分散させた構成とすることが望ましいが、要求される精度や唯一性に応じて、規則的な分散としたり、全利用者に共通のシール３１を使用することも不可能ではない。
前記実施例において、認証システムＵとして、サーバＵ１と、登録装置Ｕ２と、認証装置Ｕ３とからなる構成を例示したが、これに限定されない。例えば、サーバＵ１と登録装置Ｕ２とを１つの装置に集中して集中処理をしたり、逆に、サーバＵ１による情報の記憶と、認証とをネットワークで接続された別個の装置として分散処理をする構成とする等、任意の変更が可能である。
【００５５】
前記実施例において、測定領域６を３６分割して測定する構成を例示したが、これに限定されない。分割数や各区画の面積、形状等は、要求される測定の精度やセンサの構成等に応じて、適宜変更可能である。
前記実施例において、磁力測定装置として、上下一対の送信コイルおよぶ受信コイルによる構成を例示したが、これに限定されない。利用者の生体に付加された磁性体に基づく磁力を測定可能な任意の方式の磁力センサを使用可能である。また、実施例に例示したような非接触方式の磁力センサを使用することが好ましいが、いわゆる磁気ヘッドのような接触式の磁力センサを利用者の磁性体付与部分に接触させて磁力を測定する構成を採用することも可能である。
【００５６】
前記実施例において、シール３１として四角形状のものを例示したが、これに限定されない。例えば、円形のシールや多角形状のシールとすることも可能である。特に、円形のシールにした場合、一度はがした後に貼り直そうとした場合に、貼り付ける位置を完全一致させることができないことに加えて、ユーザーが円形のシールを剥がす前の状態と完全に同じ回転方向の角度で貼り直すことも現実問題としては不可能（回転方向の角度のランダム性）になる。よって、セキュリティを更に向上させることが可能である。
前記実施例において、磁性体の一例として鉄粉の粒子を例示したが、これに限定されない。例えば、ニッケル等の磁性を有する物質の粒子を使用することも可能である。
【００５７】
前記実施例において、磁性体をランダムに分散させた構成を例示したが、これに限定されない。例えば、会員カードやキャッシュカード、クレジットカード等の一般的な磁気カードのように、磁性を有する物質の粒子に対して、管理者側で意図した特定の磁性パターン（ユーザー毎に異なる）を書き込む構成とすることも可能である。
【符号の説明】
【００５８】
３１…貼付け材、
３４…磁性体、
３７，３７′…生体の部位、爪、
Ｃ１１…記憶手段、
Ｃ１２…認証手段、
Ｃ２２…測定手段、
Ｄ１〜Ｄ３６…磁力、
Ｕ…認証システム。
【図１】
2015219729.tif 000003
【図２】
2015219729.tif 000004
【図３】
2015219729.tif 000005
【図４】
2015219729.tif 000006
【図５】
2015219729.tif 000007
【図６】
2015219729.tif 000008
【図７】
2015219729.tif 000009